(57)【要約】【課題】  「縁なし記録」において、記録媒体の端部領域で発生するインクミストがその領域を囲む部材に付着することを抑制し、さらに付着したミストによる記録媒体の汚染を防止することが可能なインクジェット記録装置を提供する。【解決手段】  記録ヘッドが走査する方向に配列し、記録中の記録媒体１７０３を下部から支持する複数のリブ１４０２のうち、少なくとも一部の下部には隣接するリブとの間に形成される空間が開放されるための空間部Ａが存在している。これにより、記録媒体の端部領域を記録する際に発生するインクミストＦが、リブ１４０２の下部に形成された空間部Ａを介して開放される。【選択図】  図１４
2005047239.tif 000002
【特許請求の範囲】
【請求項１】
インクを吐出しつつ移動走査することによって記録媒体に記録を行なう記録ヘッドを用い、該記録ヘッドが走査する方向における前記記録媒体の端部に余白のない記録を行なうために、少なくとも前記記録媒体の端部および端部外の領域にもインクを吐出するインクジェット記録装置において、
該記録ヘッドが走査する方向に空間をおいて配列されて記録中の記録媒体を前記記録ヘッドとは反対側から支持する複数の支持部材を有し、該複数の支持部材のうち少なくとも一部の、前記記録媒体を支持する部分の反対側に空間部が設けられ、該空間部を介して、当該少なくとも一部の支持部材に隣接する前記支持部材との間の前記空間が連続していることを特徴とするインクジェット記録装置。
【請求項２】
前記複数の支持部材の前記記録媒体を支持する部分の反対側でかつ前記記録ヘッドが記録走査する方向と平行に延在して設けられ、前記記録媒体の端部および端部外の領域に対して前記記録ヘッドから吐出されたインクを吸収するためのインク吸収部材を有していることを特徴とする請求項１に記載のインクジェット記録装置。
【請求項３】
前記少なくとも一部の支持部材が、前記空間部を形成すべく形状が定められていることを特徴とする請求項１または２に記載のインクジェット記録装置。
【請求項４】
前記複数の支持部材の前記少なくとも一部は、残余の支持部材を一体に有してなるプラテンから独立した部材として形成されていることを特徴とする請求項３に記載のインクジェット記録装置。
【請求項５】
前記空間部を形成すべく、前記インク吸収部材の形状が定められていることを特徴とする請求項２に記載のインクジェット記録装置。
【発明の詳細な説明】
【技術分野】
【０００１】
本発明は、インクジェット記録装置に関し、詳しくは、記録媒体に対し余白を設けずに記録を行なう、いわゆる「縁なし記録」に関するものである。
【背景技術】
【０００２】
一般に、インクジェット記録装置においては、記録ヘッドに対向し、当該記録ヘッドによる記録が行われる位置にプラテンが設けられている。このプラテンがその上を搬送される記録媒体を支持することによって、インクを吐出する記録ヘッドと記録媒体の表面とを、適切な位置関係に規制することができる。プラテンの上には、記録媒体の支持部材となるリブが記録ヘッドの走査方向に配設されており、実際には記録媒体はこのリブの頂部に略線接触し支えられながら搬送される。このような構成にすることにより、記録媒体の搬送における摺動性や安定性がある程度制御できるのである。また、この複数のリブは、様々な幅の記録媒体に対応できるように、記録ヘッドの走査方向において、十分な幅領域に対して適切な間隔で配置されている。
【０００３】
一方、近年のインクジェット記録装置では、いわゆる銀塩写真に近づく高画質な記録が可能になりつつある。これに伴い、銀塩写真と同様の質感を得るために、光沢を有した記録媒体や、この記録媒体に対する「縁なし記録」などの需要も高まりつつある。よって近年では、このような機能を具えたインクジェット記録装置も提供されてきている。ここで、「縁なし記録」とは、例えば、通常の銀塩写真のように四辺に余白を設けないプリント態様を実現するものであり、以下に説明するインクジェット記録装置においても、記録媒体の四辺に余白が生じないように記録媒体の全面に記録を行うことを示すものとする。また、本明細書では、四辺のうち一部、例えば二辺に余白が生じないように記録する場合も「縁なし記録」に含むものとする。
【０００４】
このような「縁なし記録」を行う場合、記録媒体の端部外の領域にもある程度インクを吐出することが望ましい。なぜなら、記録媒体の搬送にはどうしても若干の誤差が伴うし、また記録媒体自体にも、製造時のカット精度の誤差によるサイズのばらつきがあり、常に記録媒体の端部位置まで正確に記録することが困難であるからである。よって、多少の誤差やばらつきが生じても、記録媒体の縁に空白が生じない程度に十分な領域まで、インクを吐出することが一般である。
【０００５】
記録媒体の端部外の領域に吐出されたインクは、回収されることが望ましい。このために、例えば、記録媒体の搬送方向において前端部および後端部となる領域の記録に対しては、記録ヘッドが走査する方向に沿って、所定の幅でプラテンに切り欠きを設けるとともに、この切り欠き下部にインク吸収体を設けてインクを回収する方法が採られている。また、記録媒体の幅方向、すなわち、記録ヘッドが走査する方向の右端部および左端部の記録に対しては、搬送される記録媒体の左右端部に対応した箇所に、記録ヘッドの吐出口列に応じた範囲でプラテンに切り欠きが設けられ、その下部にインク吸収体を設ける方法が採用されている。この様にすることにより、記録媒体の四辺の縁外に吐出されたインクを、装置本体内を汚染することなく回収することができる。
【０００６】
図１７（a）は、上述した構成を用いて行う「縁なし記録」を説明するための図である。ここでは、記録媒体１７０３に対し、キャリッジ１７０４を図の左右方向に走査させて、記録媒体の左端部への記録を行った状態を示している。
【０００７】
図において、プラテン１７０１の上には、所定の高さのリブ１７０２が複数設けられている。記録媒体１７０３は、リブ１７０２に接し支えられることにより図の手前方向に搬送される。記録媒体１７０３の搬送は、不図示の紙送り機構によって行われている。
【０００８】
キャリッジ１７０４は、記録ヘッド１７０５を搭載した状態で、図中、矢印Ａ方向およびその逆方向に移動走査する。例えば記録媒体の端が浮き上がった場合でも、その端を引っ掛けないようにするために、キャリッジ１７０４の端部は図のように斜めに形成されている。なお、図中では記録ヘッド１７０５がキャリッジ１７０４の左端に搭載されているように見えるが、実際にはおよそ中心部に搭載されており、記録ヘッド１７０５を挟んでキャリッジの左右は対称形状となっている。
【０００９】
１７０６は、記録ヘッド１７０５に配設されているインク吐出口列である。ここでは模式的に示しているが、図の６つの吐出口列１７０６は、例えばイエロー(Ｙ)、マゼンタ(Ｍ)、シアン(Ｃ)、ブラック(Ｋ)、淡マゼンタ(ＬＭ)および淡シアン(ＬＣ)の６種類のインクの吐出口列を示すものである。また、各色においては同色のインクを吐出する複数の吐出口が、紙面に垂直方向に配列し、１色分の吐出口列１７０６を形成している。図には示されていないが、それぞれの吐出口には、それに連通するインク路に電気熱変換素子であるヒータが設けられている。そして、このヒータが発生する熱エネルギを利用してインクに気泡を生じさせ、その気泡の圧力によって各吐出口からインクを吐出させることができる。
【００１０】
「縁無し記録」のために、記録媒体１７０３の端部１７０８外に吐出を行う場合、記録媒体の存在しない所定領域Ｐに対しても記録媒体１７０３上への記録から引き続いた所定の記録動作を行う。すなわち、キャリッジ１７０４は矢印Ａと逆方向への移動を続け、同時に記録ヘッド１７０５の吐出口１７０６は、所定のデータに基いた吐出を行なっていく。ここで吐出されたインクは、一般には矢印Ｉで示すように進行し、プラテン１７０１の切り欠き部に設置されたインク吸収体１７０９によって回収される。なお、領域Ｐで行う吐出のためのデータは、例えば、各走査における最端のコラムもしくはラスター、またはそれに続く数コラムもしくは数ラスターのデータとすることができる。
【００１１】
領域Ｐに対する吐出を行った後は、記録時間をなるべく短縮するなどの目的で、キャリッジ１７０４をできるだけ短距離で減速して停止させる。図中矢印Ｓは減速して停止する距離を示している。そして、停止後、キャリッジ１７０４は矢印Ａ方向に動き始め次の記録走査を行う。
【００１２】
以上説明したように、通常のインクジェット記録装置で「縁無し記録」を行う場合には、記録媒体の端部で余白を生じさせないために、記録対象画像の大きさを記録媒体のサイズよりも若干大きく設定し、記録媒体の端部外の領域にも記録媒体の端部内と同様にインクの吐出を行っている。そして、端部外に吐出され、記録媒体に着弾されなかったインクに対しては、一般にはプラテン内に設けられた吸収体に吸収され、回収されるようにしていた。
【００１３】
【特許文献１】特開２００２−１９２７１４号公報
【発明の開示】
【発明が解決しようとする課題】
【００１４】
しかしながら、近年のインクジェット記録装置においては、さらなる高画質化などのために、吐出されるインクの滴をより少量に設計してきている。そして、このインク滴の少量化は、「縁なし記録」において、インクミスト（以下、単にミストとも言う）の問題を発生させることが確認されている。
【００１５】
例えば、あるインクジェット記録装置で用いられる最も小さい主インク滴のサイズが約２ｐｌであったとする。ここで、主インク滴とは記録媒体において実質的にドットを形成するものであり、記録ヘッドもしくは記録装置の画像設計において考慮される基礎ファクタとなる。しかしながら、記録ヘッドの吐出動作では、この主インク滴から分離して発生したり、または主インク滴とともに吐出されるような、制御不能な小さなサテライトと呼ばれる微小インク滴が存在する。上記のように約２ｐｌという小さな体積の主インク滴を、吐出初速度を１５ｍ／ｓ程度で記録媒体の端部外に吐出しようとする場合、ここで発生するサテライトはその速度がより低く、更に空気抵抗の影響を受けるものとなる。本願発明者らの実験によれば、上記条件の場合、プラテン内に設けられたインク吸収体まで、サテライトが到達できないことが確認された。そして、このようなインク吸収体に至らないインク滴は、記録装置内を浮遊するミストとなってしまう。また、主インク滴の初速度がより小さな１０ｍ／ｓ程度である場合は、インク吸収体に到達するまでの飛翔距離によっては、主インク滴までもがミスト化する場合もある。
【００１６】
図１７（ａ）および（ｂ）は、上記のように端部外に吐出が行われる領域で発生するミストの問題について具体的に説明するための模式図である。同図は、「縁なし記録」において、記録媒体１７０３の左端部１７０８近傍に記録する場合を示しており、具体的には、記録ヘッド１７０５を搭載したキャリッジ１７０４が、図のＡ方向と逆方向に移動しながら、記録媒体１７０３の左端部１７０８から領域Ｐの分だけはみ出してインクを吐出している。
【００１７】
はみ出して吐出する領域Ｐにおける吐出インク滴Ｉのうち、主インク滴以外の微小インク滴(サテライト)は、空気抵抗によって撒き上がり、インク吸収体１７０９に直接到達せずに、浮遊するミストＦとなる。そして、ミストＦの発生と同時期にして、キャリッジ１７０４は減速しながら距離Ｓだけ移動して停止する。記録ヘッドが領域ＰおよびＳを通過して停止するまでの間、領域Ｐのインク吸収体１７０９上部は、インク吸収体１７０９とキャリッジ１７０４および両側のリブ１７０２によって、略閉鎖された空間となっている。よって、撒きあがって浮遊するミストＦはその略閉鎖された空間内に閉じ込められ、空間を形成する壁面を汚染する。そして、特に符号１７１３で示すように、左側のリブ１７０２の頂部に付着したミストは、より大きな幅の記録媒体が搬送された場合に、記録媒体の裏面に転写して汚染するといった問題を生じさせるのである。
【００１８】
この問題に対し、例えばインク吸収体１７０９の位置を上昇させ、更に記録ヘッドに近づけることにより、発生したサテライトを、極力インク吸収体１７０９に吸収させる方法が考えられる。しかし、この構成は、搬送される記録媒体１７０３とインク吸収体１７０９との距離を縮めることになり、記録媒体の先端や後端に若干の浮きやうねりがあった場合に、両者の接触を招き、記録媒体を汚染する懸念が生じるのである。
【００１９】
また、例えば、短部外に吐出する領域Ｐの大きさをユーザが設定できる構成とし、ミストが発生する領域Ｐの大きさをより少なくすることもできるが、この場合は、ユーザによる調整の手間が煩雑になるという問題と同時に、搬送誤差によっては記録媒体に余白が生じてしまう恐れが生じる。
【００２０】
さらに、複数の異なるサイズのインク滴を吐出できる記録ヘッドを用いた記録装置では、「縁無し記録」を行う場合に、ミストの発生しやすい最小体積の主インク滴（２ｐｌ）を使用しない方法を採っているものもある（例えば、特許文献１参照。）。特許文献１によれば、プラテンと記録ヘッドとのギャップを検出するセンサを設けることにより、記録ヘッドからインク吸収体までの距離を求め、この距離が大である場合には実行可能な記録モードを制限し、２ｐｌ程度の比較的小さなインク滴は吐出させないようにする技術が開示されている。しかしながら、このような小さなインク滴による記録と「縁なし記録」とが同時に適用できない場合、近年求められている、いわゆる「縁なしで粒状感のない写真のような記録」が実現できないことになってしまう。
【００２１】
本発明は、以上の問題を解決するためになされたものであり、その目的とするところは、「縁なし記録」において、記録媒体の端部領域で発生するインクミストがその領域を囲む部材に付着することを抑制し、さらに付着したミストによる記録媒体の汚染を防止することが可能なインクジェット記録装置を提供することにある。
【課題を解決するための手段】
【００２２】
そのために本発明では、インクを吐出しつつ移動走査することによって記録媒体に記録を行なう記録ヘッドと、該記録ヘッドが走査する方向に配列し、記録中の記録媒体を下部から支持する複数の支持部材と、を有し、前記記録ヘッドが走査する方向における前記記録媒体の端部に余白のない記録を行なうために、少なくとも前記記録媒体の端部および端部外の領域にもインクを吐出するインクジェット記録装置において、前記複数の支持部材のうち少なくとも一部の下部には空間部が存在し、該空間部を介して、隣接する前記支持部材との間に形成される空間が開放されることを特徴とする。
【発明の効果】
【００２３】
本発明によれば、記録媒体の端部領域を記録する際に発生するインクミストが、少なくとも一部の支持部材（リブ）の下部に形成された空間部を介して、開放されるので、リブに付着して汚染することが抑制され、さらに付着したミストによる記録媒体の汚染を防止することが可能となる。
【発明を実施するための最良の形態】
【００２４】
以下、図面を参照して本発明の実施形態を詳細に説明する。  
なお、本明細書において、「記録」とは、文字、図形等有意の情報を形成する場合のみならず、有意無意を問わず、また人間が視覚で知覚し得るように顕在化したものであるか否かを問わず、広く記録媒体上に画像、模様、パターン等を形成する、または媒体の加工を行う場合も言うものとする。
【００２５】
ここで、「記録媒体」とは、一般的なプリント装置で用いられる紙のみならず、広く、布、プラスチック・フィルム、金属板等、ガラス、セラミックス、木材、皮革等、インクを受容可能な物も言うものとする。
【００２６】
さらに、「インク」とは、上記「記録」の定義と同様広く解釈されるべきもので、記録媒体上に付与されることによって、画像、模様、パターン等の形成または記録媒体の加工、或いはインクの処理（例えば記録媒体に付与されるインク中の色材の凝固または不溶化）に供され得る液体を言うものとする。
【００２７】
［装置本体］
図１及び図２は、インクジェット記録方式を用いた記録装置の概略構成を説明するための図である。図１において、本実施形態における記録装置の装置本体Ｍ１０００の外郭は、下ケースＭ１００１、上ケースＭ１００２、アクセスカバーＭ１００３及び排出トレイＭ１００４を含む外装部材と、その外装部材内に収納されたシャーシＭ３０１９（図２参照）とから構成される。
【００２８】
シャーシＭ３０１９は、所定の剛性を有する複数の板状金属部材によって構成され、記録装置の骨格をなし、後述の各記録動作機構を保持するものとなっている。
【００２９】
また、下ケースＭ１００１は装置本体Ｍ１０００の外装の略下半部を、上ケースＭ１００２は装置本体Ｍ１０００の外装の略上半部をそれぞれ形成しており、両ケースの組合せによって内部に後述の各機構を収納する収納空間を有する中空体構造をなしている。装置本体Ｍ１０００の上面部及び前面部には、それぞれ、開口部が形成されている。
【００３０】
さらに、排出トレイＭ１００４は、その一端部が下ケースＭ１００１に回動自在に保持され、その回動によって下ケースＭ１００１の前面部に形成される前記開口部を開閉させ得るようになっている。このため、記録動作を実行させる際には、排出トレイＭ１００４を前面側へと回動させて開口部を開成させることにより、ここから記録媒体が排出可能となると共に排出された記録媒体を順次積載し得るようになっている。また、排紙トレイＭ１００４には、２枚の補助トレイＭ１００４ａおよびＭ１００４ｂが収納されており、必要に応じて各トレイを手前に引き出すことにより、記録媒体の支持面積を３段階に拡大、縮小させ得るようになっている。
【００３１】
アクセスカバーＭ１００３は、その一端部が上ケースＭ１００２に回動自在に保持され、上面に形成される開口部を開閉し得るようになっており、このアクセスカバーＭ１００３を開くことによって本体内部に収納されている記録ヘッドカートリッジＨ１０００あるいはインクタンクＨ１９００等の交換が可能となる。なお、ここでは特に図示しないが、アクセスカバーＭ１００３を開閉させると、その裏面に形成された突起がカバー開閉レバーを回転させるようになっており、そのレバーの回転位置をマイクロスイッチなどで検出することにより、アクセスカバーの開閉状態を検出し得るようになっている。
【００３２】
また、上ケースＭ１００２の後部上面には、電源キーＥ００１８及びレジュームキーＥ００１９が押下可能に設けられると共に、ＬＥＤ  Ｅ００２０が設けられており、電源キーＥ００１８を押下すると、ＬＥＤ  Ｅ００２０が点灯し記録可能であることをオペレータに知らせるものとなっている。また、ＬＥＤ  Ｅ００２０は点滅の仕方や色を変化をさせることによって、プリンタのトラブル等をオペレータに知らせる等種々の表示機能を有する。オペレータへの告知方法としては、さらに、ブザーＥ００２１（図７）を鳴らすこともできる。なお、トラブル等が解決した場合には、レジュームキーＥ００１９を押下することによって記録が再開されるようになっている。
【００３３】
［記録動作機構］
次に、プリンタの装置本体Ｍ１０００に収納、保持される本実施形態における記録動作機構について説明する。  
【００３４】
本実施形態における記録動作機構としては、記録媒体を装置本体内へと自動的に給送する、自動給送部Ｍ３０２２と自動給送部から１枚ずつ送出される記録媒体を所定の記録位置へと導くと共に、記録位置から排出部Ｍ３０３０へと記録媒体を導く搬送部Ｍ３０２９と、記録位置に搬送された記録媒体に所望の記録を行なう記録部と、当該記録部等に対する回復処理を行う回復部Ｍ５０００とから構成されている。搬送部Ｍ３０２９の詳細は図１１および図１２にて後述する。搬送部Ｍ３０２９における、記録部の記録ヘッドが走査する領域の下方には、図１１、図１２にて詳細に説明されるプラテンおよびその上に形成される複数のリブが設けられる。なお、図２においては以上の搬送部Ｍ３０２９の詳細な図示は省略されている。
【００３５】
記録部は、キャリッジ軸Ｍ４０２１によって移動可能に支持されたキャリッジＭ４００１と、キャリッジＭ４００１に着脱可能に搭載される記録ヘッドカートリッジＨ１０００とから構成される。
【００３６】
［記録ヘッドカートリッジ］
図３〜図５は、記録部に用いられる記録ヘッドカートリッジの構成を説明するための外観斜視図および分解構成図である。
【００３７】
図３を参照するに、本実施形態の記録ヘッドカートリッジＨ１０００は、インクを貯留するインクタンクＨ１９００と、このインクタンクＨ１９００から供給されるインクを記録情報に応じてノズルから吐出させる記録ヘッドＨ１００１とを有する。記録ヘッドＨ１００１は、キャリッジＭ４００１に対して着脱可能に搭載される、いわゆるカートリッジ方式を採るものとなっている。
【００３８】
本実施形態の記録ヘッドカートリッジＨ１０００では、写真調の高画質なカラー記録を可能とするため、インクタンクとして、例えば、ブラック(Ｋ)、ライトシアン(ＬＣ)、ライトマゼンタ(ＬＭ)、シアン(Ｃ)、マゼンタ(Ｍ)及びイエロー(Ｙ)の各色独立のインクタンクＨ１９００が用意されており、図４に示すように、それぞれが記録ヘッドＨ１００１に対して着脱自在となっている。
【００３９】
そして，記録ヘッドＨ１００１は、図５の分解斜視図に示すように、記録素子基板Ｈ１１００、第１のプレートＨ１２００、電気配線基板Ｈ１３００、第２のプレートＨ１４００、タンクホルダーＨ１５００、流路形成部材Ｈ１６００、フィルターＨ１７００、シールゴムＨ１８００から構成されている。
【００４０】
記録素子基板Ｈ１１００には、Ｓｉ基板の片面にインクを吐出するための複数の記録素子と、各記録素子に電力を供給するＡｌ等の電気配線とが成膜技術により形成され、この記録素子に対応した複数のインク流路と複数の吐出口Ｈ１１００Ｔとがフォトリソグラフィ技術により形成されると共に、複数のインク流路にインクを供給するためのインク供給口が裏面に開口するように形成されている。また、記録素子基板Ｈ１１００は第１のプレートＨ１２００に接着固定されており、ここには、前記記録素子基板Ｈ１１００にインクを供給するためのインク供給口Ｈ１２０１が形成されている。さらに、第１のプレートＨ１２００には、開口部を有する第２のプレートＨ１４００が接着固定されており、この第２のプレートＨ１４００を介して、電気配線基板Ｈ１３００が記録素子基板Ｈ１１００に対して電気的に接続されるよう保持されている。この電気配線基板Ｈ１３００は、記録素子基板Ｈ１１００にインクを吐出するための電気信号を印加するものであり、記録素子基板Ｈ１１００に対応する電気配線と、この電気配線端部に位置し本体からの電気信号を受け取るための外部信号入力端子Ｈ１３０１とを有しており、外部信号入力端子Ｈ１３０１は、後述のタンクホルダーＨ１５００の背面側に位置決め固定されている。吐出口Ｈ１１００Тは、上述した６種類のインクに応じて６つの吐出口列を形成する。そして各列は、２列の吐出口列が相互に所定量ずれた千鳥状の列を形成しており、各吐出口からは、約２ｐｌの体積のインクが吐出される。
【００４１】
一方、インクタンクＨ１９００を着脱可能に保持するタンクホルダーＨ１５００には、流路形成部材Ｈ１６００が例えば、超音波溶着により固定され、インクタンクＨ１９００から第１のプレートＨ１２００に亘るインク流路Ｈ１５０１を形成している。また、インクタンクＨ１９００と係合するインク流路Ｈ１５０１のインクタンク側端部には、フィルターＨ１７００が設けられており、外部からの塵埃の侵入を防止し得るようになっている。また、インクタンクＨ１９００との係合部にはシールゴムＨ１８００が装着され、係合部からのインクの蒸発を防止し得るようになっている。
【００４２】
さらに、前述のようにタンクホルダーＨ１５００、流路形成部材Ｈ１６００、フィルターＨ１７００及びシールゴムＨ１８００から構成されるタンクホルダー部と、前記記録素子基板Ｈ１１００、第１のプレートＨ１２００、電気配線基板Ｈ１３００及び第２のプレートＨ１４００から構成される記録素子部とを、接着等で結合することにより、記録ヘッドＨ１００１が構成されている。
【００４３】
［キャリッジ］
次に、図２を参照して記録ヘッドカートリッジＨ１０００を搭載するキャリッジＭ４００１を説明する。
【００４４】
図２に示すように、キャリッジＭ４００１には、キャリッジＭ４００１と係合し記録ヘッドＨ１００１をキャリッジＭ４００１上の所定の装着位置に案内するためのキャリッジカバーＭ４００２と、記録ヘッドＨ１００１のタンクホルダーＨ１５００と係合し記録ヘッドＨ１００１を所定の装着位置にセットさせるよう押圧するヘッドセットレバーＭ４００７とが設けられている。
【００４５】
すなわち、ヘッドセットレバーＭ４００７はキャリッジＭ４００１の上部にヘッドセットレバー軸に対して回動可能に設けられると共に、記録ヘッドＨ１００１との係合部には、ばね付勢されるヘッドセットプレート（不図示）が備えられ、このばね力によって記録ヘッドＨ１００１を押圧しながらキャリッジＭ４００１に装着する構成となっている。
【００４６】
また、キャリッジＭ４００１の記録ヘッドＨ１００１との別の係合部にはコンタクトフレキシブルプリントケーブル（図７参照、以下、コンタクトＦＰＣと称す）Ｅ００１１が設けられ、コンタクトＦＰＣ  Ｅ００１１上のコンタクト部と記録ヘッドＨ１００１に設けられたコンタクト部（外部信号入力端子）Ｈ１３０１とが電気的に接触し、記録のための各種情報の授受や記録ヘッドＨ１００１への電力の供給などを行い得るようになっている。
【００４７】
ここでコンタクトＦＰＣ  Ｅ００１１のコンタクト部とキャリッジＭ４００１との間には不図示のゴムなどの弾性部材が設けられ、この弾性部材の弾性力とヘッドセットレバーばねによる押圧力とによってコンタクト部とキャリッジＭ４００１との確実な接触を可能とするようになっている。さらに前記コンタクトＦＰＣ  Ｅ００１１はキャリッジＭ４００１の背面に搭載されたキャリッジ基板Ｅ００１３に接続されている（図７参照）。
【００４８】
［スキャナ］
本実施形態における記録装置は、上述した記録ヘッドカートリッジＨ１０００の代わりにキャリッジＭ４００１にスキャナを装着することで読取装置としても使用することができる。
【００４９】
このスキャナは、プリンタ側のキャリッジＭ４００１と共に主走査方向に移動し、記録媒体に代えて給送された原稿画像をその主走査方向への移動の過程で読み取るようになっており、その主走査方向の読み取り動作と原稿の副走査方向の給送動作とを交互に行うことにより、１枚の原稿画像情報を読み取ることができる。
【００５０】
図６（ａ）および（ｂ）は、スキャナＭ６０００の概略構成を説明するために、スキャナＭ６０００を上下逆にして示した斜視図である。
【００５１】
図のように、スキャナホルダＭ６００１は、略箱型の形状であり、その内部には読み取りに必要な光学系・処理回路などが収納されている。また、スキャナＭ６０００をキャリッジＭ４００１へと装着した時に、原稿面と対面する部分には読取部レンズＭ６００６が設けられており、読取部レンズＭ６００６により原稿面からの反射光を内部の読取部に収束することで原稿画像を読み取るようになっている。一方、照明部レンズＭ６００５は内部に不図示の光源を有し、その光源から発せられた光が照明部レンズＭ６００５を介して原稿へと照射される。
【００５２】
スキャナホルダＭ６００１の底部に固定されたスキャナカバーＭ６００３は、スキャナホルダＭ６００１内部を遮光するように嵌合し、側面に設けられたルーバー状の把持部によってキャリッジＭ４００１への着脱操作性の向上を図っている。スキャナホルダＭ６００１の外形形状は記録ヘッドＨ１００１と略同形状であり、キャリッジＭ４００１へは記録ヘッドカートリッジＨ１０００と同様の操作で着脱することができる。
【００５３】
また、スキャナホルダＭ６００１には、読取り処理回路を有する基板が収納される一方、この基板に接続されたスキャナコンタクトＰＣＢが外部に露出するよう設けられている。そして、キャリッジＭ４００１へとスキャナＭ６０００を装着した際には、スキャナコンタクトＰＣＢ  Ｍ６００４がキャリッジＭ４００１側のコンタクトＦＰＣ  Ｅ００１１に接触し、基板を、キャリッジＭ４００１を介して本体側の制御系に電気的に接続させるようになっている。
【００５４】
［電気回路の構成］
次に、本実施形態における電気的回路構成を説明する。  
図７は、本実施形態の記録装置における電気的回路の全体構成例を概略的に示す図である。
【００５５】
本実施形態における記録装置の電気的回路は、主にキャリッジ基板（ＣＲＰＣＢ）Ｅ００１３、メインＰＣＢ（Ｐｒｉｎｔｅｄ  Ｃｉｒｃｕｉｔ  Ｂｏａｒｄ）Ｅ００１４、電源ユニットＥ００１５等によって構成されている。
【００５６】
ここで、電源ユニットＥ００１５は、メインＰＣＢ  Ｅ００１４と接続され、各種駆動電源を供給するものとなっている。
【００５７】
キャリッジ基板Ｅ００１３は、キャリッジＭ４００１（図２）に搭載されたプリント基板ユニットであり、コンタクトＦＰＣ  Ｅ００１１を通じて記録ヘッドとの信号の授受を行うインターフェースとして機能する他、キャリッジＭ４００１の移動に伴ってエンコーダセンサＥ０００４から出力されるパルス信号に基づき、エンコーダスケールＥ０００５とエンコーダセンサＥ０００４との位置関係の変化を検出し、その出力信号をフレキシブルフラットケーブル（ＣＲＦＦＣ）Ｅ００１２を通じてメインＰＣＢ  Ｅ００１４へと出力する。
【００５８】
メインＰＣＢ  Ｅ００１４は、本実施形態における記録装置の各部の駆動制御を司るプリント基板ユニットであり、紙端検出センサ（ＰＥセンサ）Ｅ０００７、ＡＳＦ（自動給紙装置）センサＥ０００９、カバーセンサＥ００２２、パラレルインターフェース（パラレルＩ／Ｆ）Ｅ００１６、シリアルインターフェース（シリアルＩ／Ｆ）Ｅ００１７、リジュームキーＥ００１９、ＬＥＤ  Ｅ００２０、電源キーＥ００１８、ブザーＥ００２１等に対するＩ／Ｏポートを基板上に有する。またさらに、キャリッジＭ４００１を主走査させるための駆動源をなすモータ（ＣＲモータ）Ｅ０００１、記録媒体を搬送するための駆動源をなすモータ（ＬＦモータ）Ｅ０００２、記録ヘッドの回動動作と記録媒体の給紙動作に兼用されるモータ（ＰＧモータ）Ｅ０００３と接続されてこれらの駆動を制御する他、インクエンドセンサＥ０００６、ＧＡＰセンサＥ０００８、ＰＧセンサＥ００１０、ＣＲＦＦＣ  Ｅ００１２、電源ユニットＥ００１５との接続インターフェイスを有する。
【００５９】
図８は、メインＰＣＢ  Ｅ００１４の内部構成を示すブロック図である。図において、Ｅ１００１はＣＰＵであり、ＣＰＵ  Ｅ１００１は内部に発振回路Ｅ１００５に接続されたクロックジェネレータ（ＣＧ）  Ｅ１００２を有し、その出力信号Ｅ１０１９によりシステムクロックを発生する。また、制御バスＥ１０１４を通じてＲＯＭ  Ｅ１００４およびＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）  Ｅ１００６に接続され、ＲＯＭ  Ｅ１００４に格納されたプログラムに従って、ＡＳＩＣ  Ｅ１００６の制御、電源キーＥ００１８からの入力信号Ｅ１０１７、及びリジュームキーＥ００１９からの入力信号Ｅ１０１６、カバー検出信号Ｅ１０４２、ヘッド検出信号（ＨＳＥＮＳ）Ｅ１０１３の状態の検知を行ない、さらにブザー信号（ＢＵＺ）Ｅ１０１８によりブザーＥ００２１を駆動し、内蔵されるＡ／ＤコンバータＥ１００３に接続されるインクエンド検出信号（ＩＮＫＳ）Ｅ１０１１及びサーミスタによる温度検出信号（ＴＨ）Ｅ１０１２の状態の検知を行う一方、その他各種論理演算・条件判断等を行ない、インクジェット記録装置の駆動制御を司る。
【００６０】
ここで、ヘッド検出信号Ｅ１０１３は、記録ヘッドカートリッジＨ１０００からフレキシブルフラットケーブルＥ００１２、キャリッジ基板Ｅ００１３及びコンタクトフレキシブルプリントケーブルＥ００１１を介して入力されるヘッド搭載検出信号であり、インクエンド検出信号Ｅ１０１１はインクエドセンサＥ０００６から出力されるアナログ信号、温度検出信号Ｅ１０１２はキャリッジ基板Ｅ００１３上に設けられたサーミスタ（図示せず）からのアナログ信号である。
【００６１】
Ｅ１００８はＣＲモータドライバであって、モータ電源（ＶＭ）Ｅ１０４０を駆動源とし、ＡＳＩＣ  Ｅ１００６からのＣＲモータ制御信号Ｅ１０３６に従って、ＣＲモータ駆動信号Ｅ１０３７を生成し、ＣＲモータＥ０００１を駆動する。Ｅ１００９はＬＦ／ＰＧモータドライバであって、モータ電源Ｅ１０４０を駆動源とし、ＡＳＩＣ  Ｅ１００６からのパルスモータ制御信号（ＰＭ制御信号）Ｅ１０３３に従ってＬＦモータ駆動信号Ｅ１０３５を生成し、これによってＬＦモータを駆動すると共に、ＰＧモータ駆動信号Ｅ１０３４を生成してＰＧモータＥ０００２を駆動する。
【００６２】
Ｅ１０１０は電源制御回路であり、ＡＳＩＣ  Ｅ１００６からの電源制御信号Ｅ１０２４に従って発光素子を有する各センサ等への電源供給を制御する。パラレルＩ／Ｆ  Ｅ００１６は、ＡＳＩＣ  Ｅ１００６からのパラレルＩ／Ｆ信号Ｅ１０３０を、外部に接続されるパラレルＩ／ＦケーブルＥ１０３１に伝達し、またパラレルＩ／ＦケーブルＥ１０３１の信号をＡＳＩＣ  Ｅ１００６に伝達する。シリアルＩ／Ｆ  Ｅ００１７は、ＡＳＩＣ  Ｅ１００６からのシリアルＩ／Ｆ信号Ｅ１０２８を、外部に接続されるシリアルＩ／ＦケーブルＥ１０２９に伝達し、また同ケーブルＥ１０２９からの信号をＡＳＩＣ  Ｅ１００６に伝達する。
【００６３】
一方、電源ユニットＥ００１５からは、ヘッド電源（ＶＨ）Ｅ１０３９及びモータ電源（ＶＭ）Ｅ１０４０、ロジック電源（ＶＤＤ）Ｅ１０４１が供給される。また、ＡＳＩＣ  Ｅ１００６からのヘッド電源ＯＮ信号（ＶＨＯＮ）Ｅ１０２２及びモータ電源ＯＮ信号（ＶＭＯＭ）Ｅ１０２３が電源ユニットＥ００１５に入力され、それぞれヘッド電源Ｅ１０３９及びモータ電源Ｅ１０４０のＯＮ／ＯＦＦを制御する。電源ユニットＥ００１５から供給されたロジック電源（ＶＤＤ）Ｅ１０４１は、必要に応じて電圧変換された上で、メインＰＣＢ  Ｅ００１４内外の各部へ供給される。
【００６４】
またヘッド電源信号Ｅ１０３９は、メインＰＣＢ  Ｅ００１４上で平滑化された後にフレキシブルフラットケーブルＥ００１１へと送出され、記録ヘッドカートリッジＨ１０００の駆動に用いられる。
【００６５】
Ｅ１００７はリセット回路で、ロジック電源電圧Ｅ１０４１の低下を検出して、ＣＰＵ  Ｅ１００１及びＡＳＩＣ  Ｅ１００６にリセット信号（ＲＥＳＥＴ）Ｅ１０１５を供給し、初期化を行なう。
【００６６】
ＡＳＩＣ  Ｅ１００６は１チップの半導体集積回路であり、制御バスＥ１０１４を通じてＣＰＵ  Ｅ１００１によって制御され、前述したＣＲモータ制御信号Ｅ１０３６、ＰＭ制御信号Ｅ１０３３、電源制御信号Ｅ１０２４、ヘッド電源ＯＮ信号Ｅ１０２２、及びモータ電源ＯＮ信号Ｅ１０２３等を出力し、パラレルＩ／Ｆ  Ｅ００１６およびシリアルＩ／Ｆ  Ｅ００１７との信号の授受を行なう他、ＰＥセンサＥ０００７からのＰＥ検出信号（ＰＥＳ）Ｅ１０２５、ＡＳＦセンサＥ０００９からのＡＳＦ検出信号（ＡＳＦＳ）Ｅ１０２６、記録ヘッドと記録媒体とのギャップを検出するためのセンサ（ＧＡＰ）センサＥ０００８からのＧＡＰ検出信号（ＧＡＰＳ）Ｅ１０２７、ＰＧセンサＥ００１０からのＰＧ検出信号（ＰＧＳ）Ｅ１０３２の状態を検知して、その状態を表すデータを制御バスＥ１０１４を通じてＣＰＵ  Ｅ１００１に伝達し、入力されたデータに基づきＣＰＵ  Ｅ１００１はＬＥＤ駆動信号Ｅ１０３８の駆動を制御してＬＥＤＥ００２０の点滅を行なう。
【００６７】
さらに、エンコーダ信号（ＥＮＣ）Ｅ１０２０の状態を検知してタイミング信号を生成し、ヘッド制御信号Ｅ１０２１で記録ヘッドカートリッジＨ１０００とのインターフェイスをとり記録動作を制御する。ここにおいて、エンコーダ信号（ＥＮＣ）Ｅ１０２０はフレキシブルフラットケーブルＥ００１２を通じて入力されるＣＲエンコーダセンサＥ０００４の出力信号である。また、ヘッド制御信号Ｅ１０２１は、フレキシブルフラットケーブルＥ００１２、キャリッジ基板Ｅ００１３、及びコンタクトＦＰＣ  Ｅ００１１を経て記録ヘッドＨ１０００に供給される。
【００６８】
図９は、ＡＳＩＣ  Ｅ１００６の内部構成例を示すブロック図である。  
なお、同図において、各ブロック間の接続については、記録データやモータ制御データ等、ヘッドや各部機構部品の制御にかかわるデータの流れのみを示しており、各ブロックに内蔵されるレジスタの読み書きに係わる制御信号やクロック、ＤＭＡ制御にかかわる制御信号などは図面上の記載の煩雑化を避けるため省略している。
【００６９】
図中、Ｅ２００２はＰＬＬコントローラであり、図９に示すようにＣＰＵ  Ｅ１００１から出力されるクロック信号（ＣＬＫ）Ｅ２０３１及びＰＬＬ制御信号（ＰＬＬＯＮ）Ｅ２０３３により、ＡＳＩＣ  Ｅ１００６内の大部分へと供給するクロック（図示しない）を発生する。
【００７０】
また、Ｅ２００１はＣＰＵインターフェース（ＣＰＵＩ／Ｆ）であり、リセット信号Ｅ１０１５、ＣＰＵ  Ｅ１００１から出力されるソフトリセット信号（ＰＤＷＮ）Ｅ２０３２、クロック信号（ＣＬＫ）Ｅ２０３１及び制御バスＥ１０１４からの制御信号により、以下に説明するような各ブロックに対するレジスタ読み書き等の制御や、一部ブロックへのクロックの供給、割り込み信号の受け付け等（いずれも図示しない）を行ない、ＣＰＵ  Ｅ１００１に対して割り込み信号（ＩＮＴ）Ｅ２０３４を出力し、ＡＳＩＣ  Ｅ１００６内部での割り込みの発生を知らせる。
【００７１】
また、Ｅ２００５はＤＲＡＭであり、記録用のデータバッファとして、受信バッファＥ２０１０、ワークバッファＥ２０１１、プリントバッファＥ２０１４、展開用データバッファＥ２０１６などの各領域を有すると共に、モータ制御用としてモータ制御バッファＥ２０２３を有し、さらにスキャナ動作モード時に使用するバッファとして、上記の各記録用データバッファに代えて使用されるスキャナ取込みバッファＥ２０２４、スキャナデータバッファＥ２０２６、送出バッファＥ２０２８などの領域を有する。
【００７２】
また、このＤＲＡＭ  Ｅ２００５は、ＣＰＵ  Ｅ１００１の動作に必要なワーク領域としても使用されている。すなわち、Ｅ２００４はＤＲＡＭ制御部であり、制御バスによるＣＰＵ  Ｅ１００１からＤＲＡＭ  Ｅ２００５へのアクセスと、後述するＤＭＡ制御部Ｅ２００３からＤＲＡＭ  Ｅ２００５へのアクセスとを切り替えて、ＤＲＡＭ  Ｅ２００５への読み書き動作を行なう。
【００７３】
ＤＭＡ制御部Ｅ２００３では、各ブロックからのリクエスト（図示せず）を受け付けて、アドレス信号や制御信号（図示せず）、書込み動作の場合には書込みデータＥ２０３８、Ｅ２０４１、Ｅ２０４４、Ｅ２０５３、Ｅ２０５５、Ｅ２０５７などをＤＲＡＭ制御部Ｅ２００４に出力してＤＲＡＭアクセスを行なう。また読み出しの場合には、ＤＲＡＭ制御部Ｅ２００４からの読み出しデータＥ２０４０、Ｅ２０４３、Ｅ２０４５、Ｅ２０５１、Ｅ２０５４、Ｅ２０５６、Ｅ２０５８、Ｅ２０５９を、リクエスト元のブロックに受け渡す。
【００７４】
また、Ｅ２００６は、ＩＥＥＥ  １２８４Ｉ／Ｆであり、ＣＰＵＩ／Ｆ  Ｅ２００１を介したＣＰＵ  Ｅ１００１の制御により、パラレルＩ／Ｆ  Ｅ００１６を通じて、図示しない外部ホスト機器との双方向通信インターフェイスを行なう他、記録時にはパラレルＩ／Ｆ  Ｅ００１６からの受信データ（ＰＩＦ受信データＥ２０３６）をＤＭＡ処理によって受信制御部Ｅ２００８へと受け渡し、スキャナ読み取り時にはＤＲＡＭ  Ｅ２００５内の送出バッファＥ２０２８に格納されたデータ（１２８４送信データ（ＲＤＰＩＦ）Ｅ２０５９）をＤＭＡ処理によりパラレルＩ／Ｆに送信する。
【００７５】
Ｅ２００７は、ユニバーサルシリアルバス（ＵＳＢ）Ｉ／Ｆであり、ＣＰＵＩ／Ｆ  Ｅ２００１を介したＣＰＵ  Ｅ１００１の制御により、シリアルＩ／Ｆ  Ｅ００１７を通じて、図示しない外部ホスト機器との双方向通信インターフェイスを行なう他、記録時にはシリアルＩ／Ｆ  Ｅ００１７からの受信データ（ＵＳＢ受信データＥ２０３７）をＤＭＡ処理により受信制御部Ｅ２００８に受け渡し、スキャナ読み取り時にはＤＲＡＭ  Ｅ２００５内の送出バッファＥ２０２８に格納されたデータ（ＵＳＢ送信データ（ＲＤＵＳＢ）Ｅ２０５８）をＤＭＡ処理によりシリアルＩ／Ｆ  Ｅ００１７に送信する。受信制御部Ｅ２００８は、１２８４Ｉ／Ｆ  Ｅ２００６もしくはＵＳＢＩ／Ｆ  Ｅ２００７のうちの選択されたＩ／Ｆからの受信データ（ＷＤＩＦ）Ｅ２０３８）を、受信バッファ制御部Ｅ２０３９の管理する受信バッファ書込みアドレスに、書込む。
【００７６】
Ｅ２００９は圧縮・伸長ＤＭＡコントローラであり、ＣＰＵＩ／Ｆ  Ｅ２００１を介したＣＰＵＥ１００１の制御により、受信バッファＥ２０１０上に格納された受信データ（ラスタデータ）を、受信バッファ制御部Ｅ２０３９の管理する受信バッファ読み出しアドレスから読み出し、そのデータ（ＲＤＷＫ）Ｅ２０４０を指定されたモードに従って圧縮・伸長し、記録コード列（ＷＤＷＫ）Ｅ２０４１としてワークバッファ領域に書込む。
【００７７】
Ｅ２０１３は記録バッファ転送ＤＭＡコントローラで、ＣＰＵＩ／Ｆ  Ｅ２００１を介したＣＰＵ  Ｅ１００７の制御によってワークバッファＥ２０１１上の記録コード（ＲＤＷＰ）Ｅ２０４３を読み出し、各記録コードを、記録ヘッドカートリッジＨ１０００へのデータ転送順序に適するようなプリントバッファＥ２０１４上のアドレスに並べ替えて転送（ＷＤＷＰ  Ｅ２０４４）する。また、Ｅ２０１２はワーククリアＤＭＡコントローラであり、ＣＰＵＩ／Ｆ  Ｅ２００１を介したＣＰＵ  Ｅ１００１の制御によって記録バッファ転送ＤＭＡコントローラ  Ｅ２０１３による転送が完了したワークバッファ上の領域に対し、指定したワークフィルデータ（ＷＤＷＦ）Ｅ２０４２を繰返し書込む。
【００７８】
Ｅ２０１５は記録データ展開ＤＭＡコントローラであり、ＣＰＵＩ／Ｆ  Ｅ２００１を介したＣＰＵ  Ｅ１００１の制御により、ヘッド制御部Ｅ２０１８からのデータ展開タイミング信号Ｅ２０５０をトリガとして、プリントバッファ上に並べ替えて書込まれた記録コードと展開用データバッファＥ２０１６上に書込まれた展開用データとを読み出し、展開記録データ（ＲＤＨＤＧ）Ｅ２０４５をカラムバッファ書込みデータ（ＷＤＨＤＧ）Ｅ２０４７としてカラムバッファＥ２０１７に書込む。ここで、カラムバッファＥ２０１７は、記録ヘッドカートリッジＨ１０００への転送データ（展開記録データ）を一時的に格納するＳＲＡＭであり、記録データ展開ＤＭＡコントローラＥ２０１５とヘッド制御部Ｅ２０１８とのハンドシェーク信号（図示せず）によって両ブロックにより共有管理されている。
【００７９】
Ｅ２０１８はヘッド制御部で、ＣＰＵＩ／Ｆ  Ｅ２００１を介したＣＰＵ  Ｅ１００１の制御により、ヘッド制御信号を介して記録ヘッドカートリッジＨ１０００またはスキャナとのインターフェイスを行なう他、エンコーダ信号処理部Ｅ２０１９からのヘッド駆動タイミング信号Ｅ２０４９に基づき、記録データ展開ＤＭＡコントローラに対してデータ展開タイミング信号Ｅ２０５０の出力を行なう。
【００８０】
また、記録時には、前記ヘッド駆動タイミング信号Ｅ２０４９に従って、カラムバッファから展開記録データ（ＲＤＨＤ）Ｅ２０４８を読み出し、そのデータをヘッド制御信号Ｅ１０２１として記録ヘッドカートリッジＨ１０００に出力する。
【００８１】
また、スキャナ読み取りモードにおいては、ヘッド制御信号Ｅ１０２１として入力された取込みデータ（ＷＤＨＤ）Ｅ２０５３をＤＲＡＭ  Ｅ２００５上のスキャナ取込みバッファＥ２０２４へとＤＭＡ転送する。Ｅ２０２５はスキャナデータ処理ＤＭＡコントローラであり、ＣＰＵＩ／Ｆ  Ｅ２００１を介したＣＰＵ  Ｅ１００１の制御により、スキャナ取込みバッファＥ２０２４に蓄えられた取込みバッファ読み出しデータ（ＲＤＡＶ）Ｅ２０５４を読み出し、平均化等の処理を行なった処理済データ（ＷＤＡＶ）Ｅ２０５５をＤＲＡＭ  Ｅ２００５上のスキャナデータバッファＥ２０２６に書込む。
【００８２】
Ｅ２０２７はスキャナデータ圧縮ＤＭＡコントローラで、ＣＰＵＩ／Ｆ  Ｅ２００１を介したＣＰＵ  Ｅ１００１の制御により、スキャナデータバッファＥ２０２６上の処理済データ（ＲＤＹＣ）Ｅ２０５６を読み出してデータ圧縮を行ない、圧縮データ（ＷＤＹＣ）Ｅ２０５７を送出バッファＥ２０２８に書込み転送する。
【００８３】
Ｅ２０１９はエンコーダ信号処理部であり、エンコーダ信号（ＥＮＣ）を受けて、ＣＰＵ  Ｅ１００１の制御で定められたモードに従ってヘッド駆動タイミング信号Ｅ２０４９を出力する他、エンコーダ信号Ｅ１０２０から得られるキャリッジＭ４００１の位置や速度にかかわる情報をレジスタに格納して、ＣＰＵ  Ｅ１００１に提供する。ＣＰＵ  Ｅ１００１はこの情報に基づき、ＣＲモータＥ０００１の制御における各種パラメータを決定する。また、Ｅ２０２０はＣＲモータ制御部であり、ＣＰＵＩ／Ｆ  Ｅ２００１を介したＣＰＵ  Ｅ１００１の制御により、ＣＲモータ制御信号Ｅ１０３６を出力する。
【００８４】
Ｅ２０２２はセンサ信号処理部で、ＰＧセンサＥ００１０、ＰＥセンサＥ０００７、ＡＳＦセンサＥ０００９、及びＧＡＰセンサＥ０００８等から出力される各検出信号Ｅ１０３３，Ｅ１０２５，Ｅ１０２６，Ｅ１０２７を受けて、ＣＰＵ  Ｅ１００１の制御で定められたモードに従ってこれらのセンサ情報をＣＰＵ  Ｅ１００１に伝達する他、ＬＦ／ＰＧモータ制御用ＤＭＡコントローラ  Ｅ２０２１に対してセンサ検出信号Ｅ２０５２を出力する。
【００８５】
ＬＦ／ＰＧモータ制御用ＤＭＡコントローラＥ２０２１は、ＣＰＵＩ／Ｆ  Ｅ２００１を介したＣＰＵ  Ｅ１００１の制御により、ＤＲＡＭ  Ｅ２００５上のモータ制御バッファＥ２０２３からパルスモータ駆動テーブル（ＲＤＰＭ）Ｅ２０５１を読み出してパルスモータ制御信号Ｅ１０３３を出力する他、動作モードによっては前記センサ検出信号を制御のトリガとしてパルスモータ制御信号Ｅ１０３３を出力する。
【００８６】
また、Ｅ２０３０はＬＥＤ制御部であり、ＣＰＵＩ／Ｆ  Ｅ２００１を介したＣＰＵ  Ｅ１００１の制御により、ＬＥＤ駆動信号Ｅ１０３８を出力する。さらに、Ｅ２０２９はポート制御部であり、ＣＰＵＩ／Ｆ  Ｅ２００１を介したＣＰＵ  Ｅ１００１の制御により、ヘッド電源ＯＮ信号Ｅ１０２２、モータ電源ＯＮ信号Ｅ１０２３、及び電源制御信号Ｅ１０２４を出力する。
【００８７】
［記録装置の動作］
図１０は、上記のように構成された本実施形態の記録装置の動作を説明するためのフローチャートである。  
ＡＣ電源に装置本体Ｍ１０００が接続されると、まず、ステップＳ１では装置の第１の初期化処理を行なう。この初期化処理では、ＲＯＭおよびＲＡＭなどの電気回路系のチェックを行ない、電気的に記録装置が正常に動作可能であるかを確認する。
【００８８】
ステップＳ２では、装置本体Ｍ１０００の上ケースＭ１００２に設けられた電源キーＥ００１８がＯＮされたかどうかの判断を行い、電源キーＥ００１８が押されていない場合には、電源キーＥ００１８が押されるまで監視を続ける。
【００８９】
電源キーＥ００１８が押された場合には、ステップＳ３へと移行し、ここで第２の初期化処理を行う。第２の初期化処理では、記録装置の各種駆動機構及び記録ヘッドのチェックを行なう。すなわち、各種モータの初期化やヘッド情報の読み込みを行うに際し、装置が正常に動作可能であるかを確認する。
【００９０】
ステップＳ４ではイベント待ちを行なう。すなわち、本実施形態の記録装置に対して、外部Ｉ／Ｆからの指令イベント、ユーザ操作によるパネルキーイベントおよび内部的な制御イベントなどを監視し、これらのイベントが発生すると当該イベントに対応した処理を実行する。
【００９１】
例えば、ステップＳ４で外部Ｉ／Ｆからの記録指令イベントを受信した場合には、ステップＳ５へと移行し、ユーザ操作による電源キーイベントが発生した場合にはステップＳ１０へと移行し、その他のイベントが発生した場合にはステップＳ１１へとそれぞれ移行する。
【００９２】
ステップＳ５では、外部Ｉ／Ｆからの記録指令を解析し、指定された記録媒体の種類、記録媒体のサイズ、記録品位、給紙方法などを判断し、その判断結果を表すデータを記録装置内のＲＡＭ  Ｅ２００５に記憶し、ステップＳ６へと進む。
【００９３】
ステップＳ６ではステップＳ５で指定された給紙方法により給紙を開始し、記録媒体を記録開始位置まで送り、ステップＳ７に進む。
【００９４】
ステップＳ７では記録動作を行なう。ここでは、外部Ｉ／Ｆから送出されてきた記録データを、一旦記録バッファに格納し、次いでＣＲモータＥ０００１を駆動してキャリッジＭ４００１の主走査方向への移動を開始すると共に、プリントバッファＥ２０１４に格納されている記録データを記録ヘッドＨ１００１へと供給して１行分の記録を行ない、１行分の記録データの記録動作が終了するとＬＦモータＥ０００２を駆動し、ＬＦローラＭ３００１を回転させて記録媒体を副走査方向へと送る。この後、上記動作を繰り返し実行し、外部Ｉ／Ｆからの１ページ分の記録データの記録が終了すると、ステップ８へと進む。
【００９５】
ステップＳ８では、ＬＦモータＥ０００２を駆動し、排紙ローラＭ２００３を駆動し、用紙が完全に記録装置から送り出されたと判断されるまで紙送りを繰返す。終了した時点で記録媒体は排紙トレイＭ１００４ａ上に完全に排紙された状態となる。
【００９６】
ステップＳ９では、記録すべき全ページの記録動作が終了したか否かを判定し、記録すべきページが残存する場合には、ステップＳ５へと復帰して、以下、前述のステップＳ５〜Ｓ９までの動作を繰り返す。記録すべき全てのページの記録動作が終了した場合には、この時点で記録動作は終了し、ステップＳ４へと移行し、次のイベントを待つ。
【００９７】
一方、ステップＳ１０ではプリンタ終了処理を行ない、記録装置の動作を停止させる。つまり、各種モータやヘッドなどの電源を切断するために、電源を切断可能な状態に移行した後、電源を切断してステップＳ４に進み、次のイベントを待つ。
【００９８】
また、ステップＳ１１では、上記以外の他のイベント処理を行なう。例えば、各種パネルキーや外部Ｉ／Ｆからの回復指令や内部的に発生する回復イベントなどに対応した処理を行なう。なお、処理終了後にはステップＳ４に進み、次のイベントを待つ。
【００９９】
尚、図１０を参照して説明した処理は、後述する本発明の各実施例における「縁なし記録」に関する処理を含むものである。具体的には、ステップＳ４のイベントの判別に従ったステップＳ５以降の記録動作に関する処理、またはステップＳ１１以降のその他のイベントに係わる処理として説明されるものとなる。また、図１０に示される処理は、図７〜図９で説明した制御回路によって実行されるものである。但し、図１０もしくは、本発明の実施形態に示す「縁なし記録」の処理は、このような形態に限らず、例えば、ホストコンピュータ等のホスト装置によって実行されてもよく、あるいはホスト装置と記録装置を有した記録システムにおいてホスト装置と記録装置が互いに部分的に実行し合うものであってもよい。
【０１００】
［記録領域］
図１１は、本実施形態の記録装置で「縁なし記録」を実行する際の、記録部および搬送部の構成および動作を説明するための側断面図である。図において、記録媒体１７０３は、右から左に搬送されていく。この搬送方向に対し、プラテン１７０１よりも上流側には、搬送ローラＭ３００１およびピンチローラＭ３００２が設けられており、記録媒体１７０３は、この２つのローラにより構成されるローラ対に適切な圧力で挟持されながら、搬送ローラＭ３００１の回転によって搬送されていく。一方、搬送方向の下流側には、上記ローラ対と同様に記録媒体１３０３の搬送力を生じさせる排紙ローラＭ２００３および拍車Ｍ２００４が設けられている。
【０１０１】
記録中、記録媒体１７０３の殆どの領域では、これら２つのローラ対によって保持された状態で記録ヘッドＨ１００１による記録が成されている。この場合、その搬送および搬送に伴う記録位置は一定以上の精度が確保されている。しかし、記録媒体１７０３の先端部あるいは図１１に示すように後端部を記録する場合、記録媒体１７０３は、どちらか一対のローラ対のみで支持されている状況が生じ、記録媒体の搬送精度および搬送に伴う記録位置の精度も低下する。よって、本実施形態においては、どちらか一方のローラ対にしか支持されていない状態で記録を行なう場合、実際に吐出を行う記録素子数に制限を加えたり、記録媒体１７０３の搬送量を低減させるなどの方法を採っている。こうすることにより、先後端部領域の搬送精度の低下を極力記録画像に現れにくくすることが出来るのである。
【０１０２】
プラテン１７０１に設けられた切り欠きの内部には、記録媒体１７０３の端部からはみ出して吐出されたインクを吸収するためのインク吸収体１７０９が設けられている。
【０１０３】
図１２(ａ)および(ｂ)は、プラテン１７０１、プラテン１７０１上に設けられたリブ１７０２、およびプラテン１７０１下部に設けられたインク吸収体１７０９の位置関係を詳細に示した図であり、特に記録媒体１７０３の左端部の記録状態を説明するための図である。尚、図１２(ａ)は、図１２(ｂ)におけるＢ−Ｂ´線断面図とする。
【０１０４】
図１２において、記録媒体は同図（ａ）の奥から手前に、同図（ｂ）の上から下へ搬送され、記録ヘッドＨ１００１は図の左および右方向に走査される。プラテン１７０１の切り欠き部分に配される吸収体１７０９は、記録ヘッドＨ１００１の走査方向に、少なくとも記録媒体１７０３の幅以上に延在している。そして、記録媒体１７０３の先端部および後端部に対して記録を行なう際には、記録媒体１７０３の端部外に吐出されたインクを、記録媒体の幅に亘った領域で吸収可能としている。
【０１０５】
また、記録領域内の、記録媒体１７０３の左右の端部に位置し、リブ１７０２に隣接する領域では、プラテン１７０１に作られた切り欠きが中央部分よりも大きく、インク吸収体１７０９の幅（搬送方向への長さ）が部分的に広くなっている。そしてこの幅が広い部分のインク吸収体１７０９が、記録媒体１７０３の左右の端部を記録する際に、端部外にはみ出して吐出されるインクを捕捉するのである。尚、この部分のインク吸収体の幅は、記録ヘッドＨ１００１における各色の吐出口列の幅よりも大きな値となっている。このように構成することにより、記録媒体の左右端を記録する場合に、全ての吐出口を用いて記録を行っても、はみ出して吐出されたインク滴を確実に捕捉することができる。
【０１０６】
図１２（ａ）に見るように、インク吸収体１７０９は、プラテン１７０１の面より下がった位置にその上面が位置するように配置される。これは、仮に記録媒体１７０３がプラテン１７０１の上面に触れることがあっても、インク吸収体１７０９には触れないようにするためである。本実施形態では、約１ｍｍ下げた位置としている。
【０１０７】
ところで、複数のサイズの記録媒体に対応可能な本実施形態の記録装置の場合、右端部は全サイズで同位置に固定されるが、左端部は記録媒体１７０３の幅に応じて、プラテン１７０１上の位置が異なっている。よって、本実施形態の記録装置においては、上記の様にインク吸収体の幅を広く設置した部分を、対応可能な記録媒体のサイズに合わせて、複数箇所設けている。図１２においては、互いにサイズの異なる記録媒体１７０３ａ(２Ｌ判サイズ)、１７０３ｂ(葉書サイズ)および１７０３ｃ(Ｌ判サイズ)の左端部が、記録される部分が図示されている。それぞれの左端部は、リブ１７０２ｂによって支持されている。
【０１０８】
本実施形態のリブ１７０２は、複数個が所定の位置にプラテン１７０１上に配列されたものであるが、その高さから２つのリブ１７０２ａと１７０２ｂとに分けることができる。リブ１７０２ａはプラテン表面からの高さがａであり、記録媒体１７０３の端部以外の部分を支持するものである。記録媒体１７０３の端部を支持するリブ１７０２ｂは、その高さがｂであり、リブ１７０２ａよりも高く設定されている。この様に、支える位置によって多少の高低差をつけることにより、搬送される記録媒体は、端部が少し持ち上げられ、全体的には僅かに凹状に歪曲された状態になる。そしてこの様な姿勢が、より安定した搬送に役立っていると考えられている。
【０１０９】
但し、上述したように、より高いリブ１７０２ｂは複数のサイズの記録媒体の端部に対応した位置に設けられているので、結果的に高いリブ１７０２ｂと低いリブ１７０２ａとは不規則に混在している。例えば、図１２(ａ)に示す例では、Ｌ版サイズの記録媒体１７０３ａと葉書サイズの記録媒体１７０３ｂとでは、サイズの差があまり大きくないので、両者の左端部も近く位置している。よって、Ｌ版サイズの記録媒体１７０３ａの左端部を支えるリブ１７０２ｂと、葉書サイズの記録媒体１７０３ｂの左端部を支えるリブ１７０２ｂとは、複数のリブ１７０２の中でも隣り合って位置している。これに対し、葉書サイズの次に大きな２Ｌ版サイズの記録媒体１７０３ａは、葉書サイズとの差が比較的大きく、両者の左端部の間にいくつかの低いリブ１７０２ａが配設されている。また、例えば２Ｌ版サイズの次に大きな記録媒体のサイズがＡ４サイズであったとすると、図のように２Ｌ版サイズの記録媒体１７０３ａの左端を支持するリブ１７０２ａの左側にも、Ａ４サイズの記録媒体を支えるための低いリブ１７０２ａが更にいくつか配列し、最終的にＡ４版サイズの左端部を支えるリブ１７０２ｂが、最も左端に位置するリブとなる。
【０１１０】
図１３(ａ)および(ｂ)は、上述したリブの配置に応じて、ミストの付着が顕著な部分と、ミストの付着の程度が軽い部分とが生じる様子を説明するための図である。これらの図は、図１７を用いて既に説明した「縁なし記録」における記録ヘッドの走査と同様の記録状態を示しており、リブ１７０２の種類および配列状態が本実施形態特有のものとなっている。
【０１１１】
図１３(ａ)は、図１２にて説明したＬ判サイズの記録媒体１７０３ｃの左端に「縁無し記録」を行う状態を示している。上述したように、記録媒体１７０３ｃの左端部を支持するリブ１７０２ｂの左側には、葉書サイズの記録媒体１７０３ｂの左端部を支持するリブ１７０２ｂが隣接して設けられており、これら２つのリブは比較的近い距離にある。よって、Ｌ判サイズの記録媒体１７０３ｃの左端からキャリッジ１７０４がはみ出して記録する場合には、これら２つのリブ１７０２ｂとキャリッジ１７０４の底面、さらにインク吸収体１７０９によって囲まれた領域は、比較的狭い略閉ざされた空間となる。既に図１７を用いて説明したように、この様な略閉ざされた空間が存在した場合、特に左側のリブ１７０２ｂの頂部にミストが顕著に付着することになる。
【０１１２】
本実施形態における具体的な数値条件をここに開示する。本実施形態において、インクＩが吐出される吐出口面から記録媒体１７０３ｃまでの飛翔距離（以下紙間距離と称す）は１．４ｍｍである。また、高いほうのリブ１７０２ｂのプラテン１７０１表面からの高さが２．０ｍｍ、プラテン１７０１の表面よりインク吸収体までの距離が１．０ｍｍである。よって、吐出口面からインク吸収体１７０９までの飛翔距離は、４．４ｍｍとなり、これは上記紙間距離のおよそ３倍となっている。更に、既に説明したように、本実施形態で適用する記録ヘッド１７０５が吐出するインク滴は約２ｐｌという小さな量である。以上の条件は、記録媒体１７０３ｃに「縁なし記録」を行なった場合、多くのミストが発生するに十分なものである。
【０１１３】
図１３(ｂ)は、図１２にて説明した２Ｌ判サイズの記録媒体１７０３ａの左端に「縁無し記録」を行う状態を示している。上述したように、記録媒体１７０３ａの左端部を支持するリブ１７０２ｂの左側には、比較的離れ位置に低いリブ１７０２ａが配設されている。よって、これら２つのリブに挟まれた空間の上部にキャリッジ１７０５の底面が存在した場合にも、ミストが発生する領域Ｐの左側は比較的大きな空間を有することになり、左側のリブ１７０２ａへのミストの付着はかなり少ない状態となる。
【０１１４】
尚、以上図１７および図１３で説明したミストの問題は、基本的に、本実施形態において記録媒体１７０３の右端側では発生しない。既に説明したように、右端側は記録媒体搬送の基準位置であるため、どのサイズの記録媒体もその端部は全て同じ位置となっている。よって、右端となる基準位置の更に右側には、リブ１７０２ｂに相当するものが存在せず、かわりにプラテン部材の端となる壁が存在するのみで、この壁に付着するミストは再度紙に汚れを転写してしまうことがないのである。
【０１１５】
以上、図１３（ａ）および（ｂ）におけるミストの付着状態を踏まえ、本発明者らは、リブ１７０２の配設条件によって形成される略閉ざされた空間の大きさが、ミストの付着に大きくかかわっていることに着目した。そして、「閉ざされた空間からいかにミストを開放するか」という検討から、それぞれの効果が得られるいくつかの実施例を発案するに到ったのである。
【実施例１】
【０１１６】
図１４は、本発明の第１の実施例におけるリブの構成例を示したもので、記録媒体１７０３の端部外に吐出を行なった場合の、領域Ｐ近傍の断面を示した斜視図である。図１４において、１４０１はプラテン１７０１の断面、１４０９はインク吸収体１７０９の断面である。また、１４０２が本実施例で適用するリブであり、Ａの部分はリブ１４０２の空間部としての隙間となっている。プラテン上に配列するリブは、その頂点が記録媒体と接触することに意味があるのであって、頂点以外の部分の形状は、記録媒体の搬送に関して制限を受けるものではない。よって本実施形態では、この部分に、ミストを閉塞しないための隙間Ａを持たせているのである。
【０１１７】
「縁無し記録」を行なった場合、領域Ｐにおける吐出インク滴Ｉのうち、主インク滴以外の微小インク滴(サテライト)が、空気抵抗によってインク吸収体に到達せず、ミストとなって撒き上がることは既に述べた。そしてこのミストＦは、キャリッジ１７０４の反転のための停止動作により、比較的長い時間上方が閉鎖された空間に閉じ込められることによって、空間側面のリブなどを汚染することも説明した。しかしながら、本実施形態においては、領域Ｐの空間に発生したミスとＦは、隙間Ａを通過して領域Ｐから外部に流出していくことができる構成となっている。よって、ミストＦは、リブ１４０２の頂部に、図１７の１７１３で示すほどに付着することはなく、次に搬送される記録媒体を汚染することもない。
【実施例２】
【０１１８】
図１５は、本発明の第２の実施例におけるリブの構成例を図１４と同様に示したものである。  
図において、本実施例で適用するリブ１５０２は、第１の実施例と同様にＡの部分が隙間になっており、このために１の実施例と同様の効果を得ることが可能となっている。但し、本実施例のリブ１５０２は、第１の実施例のようにプラテン１４０１との一体成型で構成されたものではなく、別部材で構成されている。
【０１１９】
このように本発明を特徴づける隙間Ａを形成するためのリブ１５０２は、必ずしもプラテンと一体成型となっている必要はない。またその材質も特に限定されるものでなく、隙間Ａを形成するに都合がよいものであれば問題はない。ただし、通過する記録媒体との摩擦によって帯電することのない材質が望ましいと言える。
【実施例３】
【０１２０】
図１６は、本発明の第３の実施例におけるリブおよびインク吸収体の構成例を上述の実施形態と同様に示したものである。  
本実施形態の特徴は、上述した実施形態のようにリブ１６０２の形状に特徴を持たせたものではなく、リブ１６０２の下に位置するインク吸収体１６０９の部分を窪んだ形状にし、これにより隙間Ａを生成しているところにある。
【０１２１】
このように、略閉塞された空間のインク吸収体１６０９に隙間Ａを形成することにより上述した実施形態と同様の効果を得ることができるのである。
【０１２２】
なお、以上の実施形態は、記録ヘッドによる記録走査を双方向で行う場合でも片方向で行なう場合でも、どちらでも有効にその効果を発揮することが可能となっている。
【０１２３】
また、上述では記録媒体の右端部は基準位置であることから、ミストの問題が発生しないことを前提に、左端部を中心に説明を加えてきたが、本発明はこれに限定されるものではない。記録媒体のセット位置やプラテンおよびリブの関係によっては、左右両方の端部にミストの問題が生じる場合もある。このような場合には、以上で説明した左端部での制御方法を右端部にも適用し、本発明の効果を得るようにしてもよい。
【０１２４】
更に、以上の説明では、高密度でかつ少量のインクを吐出可能な構成として、電気熱変換体が発生する熱エネルギを利用して液体に膜沸騰を生じさせる構成のインクジェット記録ヘッドを適用して説明してきたが、この構成も本発明を限定するものではない。どのような方法でインクを吐出するにせよ、記録ヘッドが記録媒体に記録しようとするインクによってミストが発生し、汚染する問題が生じている場合には本発明の構成は有効に作用するといえる。
【０１２５】
更にまた、以上の説明では、ホストコンピュータに記録装置を接続した形態の記録システムとして説明してきたが、本発明に適用可能な記録システムは、ホストコンピュータ以外にも、例えばインタフェース機器やリーダ等に記録装置を接続する形態であってもよいし、さらには、上述したようなシステムを包含した形態の一つの機器（たとえば複写機、ファクシミリ装置）からなる装置であってもよい。
【産業上の利用可能性】
【０１２６】
本発明は、インクジェット記録装置、特に記録媒体に対し余白を設けずに記録を行なう、いわゆる「縁なし記録」を行うインクジェット記録装置に利用される。
【０１２７】
以上説明したように本発明によれば、記録媒体の端部領域を記録する際に発生するインクミストが、リブの下部に形成された空間部を介して開放されるので、リブに付着して汚染することが抑制され、さらに付着したミストによる記録媒体の汚染を防止することが可能となる。
【図面の簡単な説明】
【０１２８】
【図１】本発明に適用可能なインクジェット記録装置の外観構成を示す斜視図である。
【図２】図１に示す記録装置の外装部材を取り外した状態を示す斜視図である。
【図３】本発明に適用可能な記録装置に用いる記録ヘッドカートリッジを組立てた状態を示す斜視図である。
【図４】図３に示した記録ヘッドカートリッジの分解斜視図である。
【図５】図４に示した記録ヘッドを斜め下方から観た分解斜視図である。
【図６】（ａ）および（ｂ）は、図３の記録ヘッドカートリッジに代えて本発明に適用可能な記録装置に搭載可能なスキャナカートリッジの構成を示すための、天地逆にして示す斜視図である。
【図７】本発明に適用可能な記録装置における電気的回路の全体構成を概略的に示すブロック図である。
【図８】図７に示した電気回路のうちメインＰＣＢの内部構成例を示すブロック図である。
【図９】図８に示したメインＰＣＢのうちＡＳＩＣの内部構成例を示すブロック図である。
【図１０】本発明に適用可能な記録装置の動作を示すフローチャートである。
【図１１】本発明の実施形態の記録装置で「縁なし記録」を実行する際の、記録部および搬送部の構成および動作を説明するための側断面図である。
【図１２】(ａ)および(ｂ)は、プラテン、プラテン上に設けられたリブ、およびプラテン下部に設けられたインク吸収体の位置関係を詳細に示した図である。
【図１３】(ａ)および(ｂ)は、リブの配置に応じて、ミストの付着が顕著な部分と、ミストの付着の程度が軽い部分とが生じる様子を説明するための図である。
【図１４】本発明の第１の実施例におけるリブの構成例を示した図である。
【図１５】本発明の第２の実施例におけるリブの構成例を示した図である。
【図１６】本発明の第３の実施例におけるリブおよびインク吸収体の構成例を示した図である。
【図１７】（ａ）および（ｂ）は、記録媒体の端部外に吐出が行われる領域で発生するミストの問題について具体的に説明するための模式図である。
【符号の説明】
【０１２９】
Ｍ１０００  装置本体
Ｍ１００１  下ケース
Ｍ１００２  上ケース
Ｍ１００３  アクセスカバー
Ｍ１００４  排出トレイ
Ｍ２００３  排紙ローラ
Ｍ２００４  拍車
Ｍ３００１  搬送ローラ
Ｍ３００２  ピンチローラ
Ｍ３０１９  シャーシ
Ｍ３０２２  自動給送部
Ｍ３０２９  搬送部
Ｍ３０３０  排出部
Ｍ４００１  キャリッジ
Ｍ４００２  キャリッジカバー
Ｍ４００７  ヘッドセットレバー
Ｍ４０２１  キャリッジ軸
Ｍ５０００  回復部
Ｍ６０００  スキャナ
Ｍ６００１  スキャナホルダ
Ｍ６００３  スキャナカバー
Ｍ６００４  スキャナコンタクトＰＣＢ
Ｍ６００５  スキャナ照明部レンズ
Ｍ６００６  スキャナ読取部レンズ
Ｅ０００１  キャリッジモータ
Ｅ０００２  ＬＦモータ
Ｅ０００３  ＰＧモータ
Ｅ０００４  エンコーダセンサ
Ｅ０００５  エンコーダスケール
Ｅ０００６  インクエンドセンサ
Ｅ０００７  ＰＥセンサ
Ｅ０００８  ＧＡＰセンサ（紙間センサ）
Ｅ０００９  ＡＳＦセンサ
Ｅ００１０  ＰＧセンサ
Ｅ００１１  コンタクトＦＰＣ（フレキシブルプリントケーブル）
Ｅ００１２  ＣＲＦＦＣ（フレキシブルフラットケーブル）
Ｅ００１３  キャリッジ基板
Ｅ００１４  メインＰＣＢ
Ｅ００１５  電源ユニット
Ｅ００１６  パラレルＩ／Ｆ
Ｅ００１７  シリアルＩ／Ｆ
Ｅ００１８  電源キー
Ｅ００１９  リジュームキー
Ｅ００２０  ＬＥＤ
Ｅ００２１  ブザー
Ｅ００２２  カバーセンサ
Ｅ１００１  ＣＰＵ
Ｅ１００２  ＯＳＣ（ＣＰＵ内蔵オシレータ）
Ｅ１００３  Ａ／Ｄ（ＣＰＵ内蔵Ａ／Ｄコンバータ）
Ｅ１００４  ＲＯＭ
Ｅ１００５  発振回路
Ｅ１００６  ＡＳＩＣ
Ｅ１００７  リセット回路
Ｅ１００８  ＣＲモータドライバ
Ｅ１００９  ＬＦ／ＰＧモータドライバ
Ｅ１０１０  電源制御回路
Ｅ１０１１  ＩＮＫＳ（インクエンド検出信号）
Ｅ１０１２  ＴＨ（サーミスタ温度検出信号）
Ｅ１０１３  ＨＳＥＮＳ（ヘッド検出信号）
Ｅ１０１４  制御バス
Ｅ１０１５  ＲＥＳＥＴ（リセット信号）
Ｅ１０１６  ＲＥＳＵＭＥ（リジュームキー入力）
Ｅ１０１７  ＰＯＷＥＲ（電源キー入力）
Ｅ１０１８  ＢＵＺ（ブザー信号）
Ｅ１０１９  発振回路出力信号
Ｅ１０２０  ＥＮＣ（エンコーダ信号）
Ｅ１０２１  ヘッド制御信号
Ｅ１０２２  ＶＨＯＮ（ヘッド電源ＯＮ信号）
Ｅ１０２３  ＶＭＯＮ（モータ電源ＯＮ信号）
Ｅ１０２４  電源制御信号
Ｅ１０２５  ＰＥＳ（ＰＥ検出信号）
Ｅ１０２６  ＡＳＦＳ（ＡＳＦ検出信号）
Ｅ１０２７  ＧＡＰＳ（ＧＡＰ検出信号）
Ｅ１０２８  シリアルＩ／Ｆ信号
Ｅ１０２９  シリアルＩ／Ｆケーブル
Ｅ１０３０  パラレルＩ／Ｆ信号
Ｅ１０３１  パラレルＩ／Ｆケーブル
Ｅ１０３２  ＰＧＳ（ＰＧ検出信号）
Ｅ１０３３  ＰＭ制御信号（パルスモータ制御信号）
Ｅ１０３４  ＰＧモータ駆動信号
Ｅ１０３５  ＬＦモータ駆動信号
Ｅ１０３６  ＣＲモータ駆動信号
Ｅ１０３７  ＣＲモータ駆動信号
Ｅ１０３８  ＬＥＤ駆動信号
Ｅ１０３９  ＶＨ（ヘッド電源）
Ｅ１０４０  ＶＭ（モータ電源）
Ｅ１０４１  ＶＤＤ（ロジック電源）
Ｅ１０４２  ＣＯＶＳ（カバー検出信号）
Ｅ２００１  ＣＰＵ  Ｉ／Ｆ
Ｅ２００２  ＰＬＬ
Ｅ２００３  ＤＭＡ制御部
Ｅ２００４  ＤＲＡＭ制御部
Ｅ２００５  ＤＲＡＭ
Ｅ２００６  １２８４  Ｉ／Ｆ
Ｅ２００７  ＵＳＢ  Ｉ／Ｆ
Ｅ２００８  受信制御部
Ｅ２００９  圧縮・伸長ＤＭＡ
Ｅ２０１０  受信バッファ
Ｅ２０１１  ワークバッファ
Ｅ２０１２  ワークエリアＤＭＡ
Ｅ２０１３  記録バッファ転送ＤＭＡ
Ｅ２０１４  プリントバッファ
Ｅ２０１５  記録データ展開ＤＭＡ
Ｅ２０１６  展開用データバッファ
Ｅ２０１７  カラムバッファ
Ｅ２０１８  ヘッド制御部
Ｅ２０１９  エンコーダ信号処理部
Ｅ２０２０  ＣＲモータ制御部
Ｅ２０２１  ＬＦ／ＰＧモータ制御部
Ｅ２０２２  センサ信号処理部
Ｅ２０２３  モータ制御バッファ
Ｅ２０２４  スキャナ取込みバッファ
Ｅ２０２５  スキャナデータ処理ＤＭＡ
Ｅ２０２６  スキャナデータバッファ
Ｅ２０２７  スキャナデータ圧縮ＤＭＡ
Ｅ２０２８  送出バッファ
Ｅ２０２９  ポート制御部
Ｅ２０３０  ＬＥＤ制御部
Ｅ２０３１  ＣＬＫ（クロック信号）
Ｅ２０３２  ＰＤＷＭ（ソフト制御信号）
Ｅ２０３３  ＰＬＬＯＮ（ＰＬＬ制御信号）
Ｅ２０３４  ＩＮＴ（割り込み信号）
Ｅ２０３６  ＰＩＦ受信データ
Ｅ２０３７  ＵＳＢ受信データ
Ｅ２０３８  ＷＤＩＦ（受信データ／ラスタデータ）
Ｅ２０３９  受信バッファ制御部
Ｅ２０４０  ＲＤＷＫ（受信バッファ読み出しデータ／ラスタデータ）
Ｅ２０４１  ＷＤＷＫ（ワークバッファ書込みデータ／記録コード）
Ｅ２０４２  ＷＤＷＦ（ワークフィルデータ）
Ｅ２０４３  ＲＤＷＰ（ワークバッファ読み出しデータ／記録コード）
Ｅ２０４４  ＷＤＷＰ（並べ替え記録コード）
Ｅ２０４５  ＲＤＨＤＧ（記録展開用データ）
Ｅ２０４７  ＷＤＨＤＧ（カラムバッファ書込みデータ／展開記録データ）
Ｅ２０４８  ＲＤＨＤ（カラムバッファ読み出しデータ／展開記録データ）
Ｅ２０４９  ヘッド駆動タイミング信号
Ｅ２０５０  データ展開タイミング信号
Ｅ２０５１  ＲＤＰＭ（パルスモータ駆動テーブル読み出しデータ）
Ｅ２０５２  センサ検出信号
Ｅ２０５３  ＷＤＨＤ（取込みデータ）
Ｅ２０５４  ＲＤＡＶ（取込みバッファ読み出しデータ）
Ｅ２０５５  ＷＤＡＶ（データバッファ書込みデータ／処理済データ）
Ｅ２０５６  ＲＤＹＣ（データバッファ読み出しデータ／処理済データ）
Ｅ２０５７  ＷＤＹＣ（送出バッファ書込みデータ／圧縮データ）
Ｅ２０５８  ＲＤＵＳＢ（ＵＳＢ送信データ／圧縮データ）
Ｅ２０５９  ＲＤＰＩＦ（１２８４送信データ）
Ｈ１０００  記録ヘッドカートリッジ
Ｈ１００１  記録ヘッド
Ｈ１１００  記録素子基板
Ｈ１１００Ｔ  吐出口
Ｈ１２００  第１のプレート
Ｈ１２０１  インク供給口
Ｈ１３００  電気配線基板
Ｈ１３０１  外部信号入力端子
Ｈ１４００  第２のプレート
Ｈ１５００  タンクホルダー
Ｈ１５０１  インク流路
Ｈ１６００  流路形成部材
Ｈ１７００  フィルター
Ｈ１８００  シールゴム
Ｈ１９００  インクタンク
１４０１    プラテンの断面
１４０２    リブ
１４０９    インク吸収体の断面
１５０２    リブ
１６０２    リブ
１７０１    プラテン
１７０２ａ  高さａのリブ
１７０２ｂ  高さｂのリブ
１７０３    記録媒体
１７０３ａ  ２Ｌ判サイズの記録媒体
１７０３ｂ  葉書サイズの記録媒体
１７０３ｃ  Ｌ判サイズの記録媒体
１７０４    キャリッジ
１７０５    記録ヘッド
１７０６    吐出口列
１７０８    記録媒体端部
１７０９    インク吸収体
【図１】
2005047239.tif 000003
【図２】
2005047239.tif 000004
【図３】
2005047239.tif 000005
【図４】
2005047239.tif 000006
【図５】
2005047239.tif 000007
【図６】
2005047239.tif 000008
【図７】
2005047239.tif 000009
【図８】
2005047239.tif 000010
【図９】
2005047239.tif 000011
【図１０】
2005047239.tif 000012
【図１１】
2005047239.tif 000013
【図１２】
2005047239.tif 000014
【図１３】
2005047239.tif 000015
【図１４】
2005047239.tif 000016
【図１５】
2005047239.tif 000017
【図１６】
2005047239.tif 000018
【図１７】
2005047239.tif 000019